(57)【要約】 【課題】  刺繍ミシンで刺繍模様を縫製するための刺繍データを処理する刺繍データ処理装置及び刺繍データ処理プログラムを記録した記録媒体に関し、特に、刺繍データに基づいて形成される刺繍模様の大きさが、前記刺繍枠内の所定の縫製可能範囲を越える場合に、刺繍データを分割処理すると共に、分割した刺繍データの刺繍模様全体における位置を確認可能な刺繍データ処理装置及び刺繍データ処理プログラムを記録した記録媒体を提供することを目的とする。【解決手段】  分割領域３５の大きさに基づいて、ステッチデータ３６を分割した分割ステッチデータ４０を作成すると共に、ステッチデータ３６における分割ステッチデータ４０の位置に対応する位置情報を、分割ステッチデータ４０に付加するように構成する。【選択図】  図３
2005279068.tif 000002
【特許請求の範囲】
【請求項１】
刺繍ミシンで刺繍模様を縫製するための刺繍データを処理する刺繍データ処理装置であって、
前記刺繍データを複数の領域に分割する際の分割領域を指定するための情報を取得する領域情報取得手段と、
前記領域情報取得手段により取得した分割領域を指定するための情報に基づいて、前記刺繍データを分割すると共に、その分割された分割刺繍データを作成する分割刺繍データ作成手段と、
前記分割刺繍データ作成手段により作成された分割刺繍データの前記刺繍データ全体における位置を示す位置情報を作成する位置情報作成手段と、
前記分割刺繍データの位置情報に基づいて、分割刺繍データの刺繍データ全体に対する配置図を表示する表示手段を有することを特徴とする刺繍データ処理装置。
【請求項２】
前記請求項１記載の刺繍データ処理装置において、
前記領域情報取得手段は、刺繍枠の種類を指定することにより、分割領域として所定の縫製範囲を示す情報を取得することを特徴とする刺繍データ処理装置。
【請求項３】
前記請求項２記載の刺繍データ処理装置において、
前記分割刺繍データ作成手段は、前記領域情報取得手段により取得された所定の縫製範囲に基づいて、その縫製範囲を内側に縮めた領域で前記刺繍データを分割して、分割刺繍データを作成することを特徴とする刺繍データ処理装置。
【請求項４】
前記請求項１又は請求項２記載の刺繍データ処理装置において、
前記分割刺繍データに前記位置情報を付加する位置情報付加手段を有することを特徴とする刺繍データ処理装置。
【請求項５】
前記請求項４記載の刺繍データ処理装置において、
前記位置情報は、画像データであることを特徴とする刺繍データ処理装置。
【請求項６】
前記請求項１乃至請求項５の何れかに記載の刺繍データ処理装置において、
前記位置情報は、刺繍データ全体における縦位置情報及び横位置情報の少なくとも一方からなるコードデータであることを特徴とする刺繍データ処理装置。
【請求項７】
刺繍ミシンで刺繍模様を縫製するための刺繍データを処理する刺繍データ処理装置であって、
前記刺繍データを複数の領域に分割する際の分割領域を指定するための情報を取得する領域情報取得手段と、
前記領域情報取得手段により取得した分割領域を指定するための情報に基づいて、前記刺繍データを分割すると共に、その分割された分割刺繍データを作成する分割刺繍データ作成手段と、
前記分割刺繍データ作成手段により作成された分割刺繍データに基づいて、刺繍データ全体を刺繍する際に、布を前記分割領域に対応する位置に位置合わせするための指標を有する分割テンプレートを作成する分割テンプレート作成手段と、
前記分割テンプレートを印刷する印刷手段を有することを特徴とする刺繍データ処理装置。
【請求項８】
刺繍ミシンで刺繍模様を縫製するための刺繍データを処理する刺繍データ処理装置であって、
前記刺繍データを複数の領域に分割する際の分割領域を指定するための情報を取得する領域情報取得手段と、
前記領域情報取得手段により取得した分割領域を指定するための情報に基づいて、前記刺繍データを分割すると共に、その分割された分割刺繍データを作成する分割刺繍データ作成手段と、
前記分割刺繍データに基づいて、その分割刺繍データに対応する分割模様図柄を印刷するための印刷データを作成する印刷データ作成手段と、
前記印刷データを実寸大で印刷する印刷手段と、
前記印刷データを実寸大で印刷する際に、印刷媒体に前記印刷データ全体が配置できない場合に、前記分割刺繍データの一部分のみについての部分印刷データを作成する部分印刷データ作成手段と、
前記印刷データ全体における前記部分印刷データの位置を示す部分印刷位置情報を、前記部分印刷データに付加する部分印刷位置情報付加手段とを有することを特徴とする刺繍データ処理装置。
【請求項９】
刺繍ミシンで刺繍模様を縫製するための刺繍データを処理する刺繍データ処理装置であって、
前記刺繍データを複数の領域に分割する際の分割領域を指定するための情報を取得する領域情報取得手段と、
前記領域情報取得手段により取得した分割領域を指定するための情報に基づいて、前記刺繍データを分割すると共に、その分割された分割刺繍データを作成する分割刺繍データ作成手段と、
前記分割刺繍データに対応する分割模様図柄を実寸大で印刷する印刷手段と、
前記分割模様図柄を前記印刷手段により実寸大で印刷する際に、印刷媒体に前記分割模様図柄全体が配置できない場合に、前記分割模様図柄の一部分に対応する部分模様図柄のみについての部分印刷データを作成する部分印刷データ作成手段と、
前記分割模様図柄全体における前記部分模様図柄の位置を示す部分印刷位置情報を、前記部分印刷データに付加する部分印刷位置情報付加手段とを有することを特徴とする刺繍データ処理装置。
【請求項１０】
前記請求項７乃至請求項９の何れかに記載の刺繍データ処理装置において、
前記領域情報取得手段は、刺繍枠の種類を指定することにより分割領域として所定の縫製範囲を示す情報を取得することを特徴とする刺繍データ処理装置。
【請求項１１】
前記請求項１０記載の刺繍データ処理装置において、
前記分割刺繍データ作成手段は、前記領域情報取得手段により取得された所定の縫製範囲に基づいて、その縫製範囲を内側に縮めた領域で前記刺繍データを分割して、分割刺繍データを作成することを特徴とする刺繍データ処理装置。
【請求項１２】
刺繍ミシンで刺繍模様を縫製するための刺繍データを処理する刺繍データ処理プログラムを記録した記録媒体であって、
前記刺繍データを複数の領域に分割する際の分割領域を指定するための情報を取得し、その領域情報に基づいて、刺繍データを分割すると共に、その分割された分割刺繍データを作成し、作成された前記分割刺繍データの前記刺繍データ全体における位置を示す位置情報を作成すると共に、その位置情報を前記分割刺繍データに付加することを特徴とする刺繍データ処理プログラムを記録した記録媒体。
【請求項１３】
前記請求項１２記載の刺繍データ処理プログラムを記録した記録媒体において、
前記領域情報は、刺繍枠の種類に基づく所定の縫製範囲を示す情報であることを特徴とする刺繍データ処理プログラムを記録した記録媒体。
【請求項１４】
前記請求項１３記載の刺繍データ処理プログラムを記録した記録媒体において、
前記分割領域は、前記縫製範囲を内側に縮めた領域であることを特徴とする刺繍データ処理プログラムを記録した記録媒体。
【請求項１５】
刺繍ミシンで刺繍模様を縫製するための刺繍データを処理する刺繍データ処理プログラムを記録した記録媒体であって、
前記刺繍データを複数の領域に分割する際の分割領域を指定するための情報を取得し、前記刺繍データをその領域情報に基づいて分割すると共に、その分割された分割刺繍データを作成し、作成された前記分割刺繍データに基づいて、前記刺繍データ全体を刺繍する際に、布を前記分割領域に対応する位置に位置合わせするための指標を有する分割テンプレートを作成することを特徴とする刺繍データ処理プログラムを記録した記録媒体。
【請求項１６】
刺繍ミシンで刺繍模様を縫製するための刺繍データを処理する刺繍データ処理プログラムを記録した記録媒体であって、
前記刺繍データを複数の領域に分割する際の分割領域を指定するための情報を取得し、前記刺繍データをその領域情報に基づいて分割すると共に、その分割された分割刺繍データを作成し、作成された前記分割刺繍データに基づいて、その分割刺繍データに対応する分割模様図柄を印刷するための印刷データを作成し、
前記印刷データ全体を印刷媒体に配置できない場合に、前記分割刺繍データの一部分のみについての部分印刷データを作成し、前記印刷データ全体における前記部分印刷データの位置を示す部分印刷位置情報を、前記部分印刷データに付加することを特徴とする刺繍データ処理プログラムを記録した記録媒体。
【請求項１７】
刺繍ミシンで刺繍模様を縫製するための刺繍データを処理する刺繍データ処理プログラムを記録した記録媒体であって、
前記刺繍データを複数の領域に分割する際の分割領域を指定するための情報を取得し、前記刺繍データをその領域情報に基づいて分割すると共に、その分割された分割刺繍データを作成し、
その分割刺繍データに対応する分割模様図柄全体を印刷媒体に配置できない場合に、前記分割模様図柄の一部分に対応する部分模様図柄のみを印刷するための部分印刷データを作成し、前記分割模様図柄全体における前記部分模様図柄の位置を示す部分印刷位置情報を、前記部分印刷データに付加することを特徴とする刺繍データ処理プログラムを記録した記録媒体。
【請求項１８】
前記請求項１５乃至請求項１７の何れかに記載の刺繍データ処理プログラムを記録した記録媒体において、
前記領域情報は、刺繍枠の種類に基づく所定の縫製範囲を示す情報であることを特徴とする刺繍データ処理プログラムを記録した記録媒体。
【請求項１９】
前記請求項１７記載の刺繍データ処理プログラムを記録した記録媒体において、
前記分割領域は、前記縫製範囲を内側に縮めた領域であることを特徴とする刺繍データ処理プログラムを記録した記録媒体。
【発明の詳細な説明】
【技術分野】
【０００１】
本発明は、刺繍ミシンで刺繍模様を縫製するための刺繍データを処理する刺繍データ処理装置及び刺繍データ処理プログラムを記録した記録媒体に関し、特に、刺繍データに基づいて形成される刺繍模様の大きさが、前記刺繍枠内の所定の縫製可能範囲を越える場合の刺繍データの処理に関するものである。
【背景技術】
【０００２】
例えば、工業用の刺繍ミシンにおいては、刺繍データに基づいて刺繍形成動作を実行するように構成されており、前記刺繍データを、刺繍模様の形状を表す形状データに基づいて処理するための刺繍データ処理装置が提供されている。前記刺繍データ処理装置は、例えば、汎用のパーソナルコンピュータシステムに、イメージスキャナ装置、ハードディスク装置、キーボード、ＣＲＴディスプレイ等を接続して構成されている。前記刺繍データ処理装置においては、形状データは、例えばハードディスクから読み込んだり、原画をイメージスキャナに読み取らせてできた画像データから抽出したりすることにより得られる。
【０００３】
このようにして得られたデータを用いて、刺繍枠に張り渡された布に対して刺繍形成動作が実行される。従って、刺繍データに基づいて形成される刺繍模様の大きさが、前記刺繍枠内の所定の縫製可能エリアを越える場合には、刺繍形成動作を実行することができない。そのため、従来は、前記縫製可能エリアを越えるような大型の刺繍模様については、前記刺繍模様を縫製可能エリアに収まる大きさの模様に分割し、その分割模様毎に対応する刺繍データを作成し、分割模様を組み合わせることにより表現する方法が用いられている。
【０００４】
そして、所定の縫製可能エリアを超える大型の刺繍模様について、刺繍ミシンの縫製可能エリアを超えない範囲に分割した分割刺繍データを作成する刺繍データ処理装置に関する技術が、特許文献１及び特許文献２に記載されている。
【０００５】
特許文献１記載の刺繍データ処理装置は、刺繍ミシンの最大縫製サイズを越えないように縫製区域の大きさを設定する縫製区域設定手段と、前記図形データの表す図形が前記縫製区域設定手段で設定された縫製区域で区切られてできる部分図形について対応する刺繍データを作成する刺繍データ作成手段と、前記刺繍データ作成手段で作成された刺繍データを記憶する刺繍データ記憶手段を有する。
これにより、刺繍の縫製サイズが刺繍ミシンの最大縫製サイズを越えてしまって刺繍できなくなる場合でも、刺繍ミシンの最大縫製サイズを越えないように縫製区域を設定し、図形が縫製区域で区切られてできる部分図形を基に刺繍データを作成することにより、刺繍ミシンではその部分図形を刺繍縫目で埋める刺繍を行うことが可能な刺繍データ処理装置に関する技術が記載されている。
【０００６】
一方、特許文献２記載の刺繍データ処理装置は、複数の部分模様からなる刺繍模様の刺繍形成動作を縫製装置により実行させる際に必要な刺繍データを、前記各部分模様の形状を表す形状データに基づいて作成するものであって、前記刺繍模様が前記縫製装置の有する所定の縫製可能エリアを越える大きさである場合に、前記縫製可能エリアに対応した大きさを有する複数の単位刺繍領域を、前記刺繍模様全体が含まれ且つ隣り合う単位刺繍領域同士が部分的に重なるように設定する単位刺繍領域設定手段と、前記複数の部分模様のうち前記隣り合う単位刺繍領域のうちの一方に収まる部分模様については前記一方の単位刺繍領域に属するものとして分配し、残りの部分模様のうち、他方の単位刺繍領域に収まる部分模様については前記他方の単位刺繍領域に属するものとして分配する分配手段と、この分配手段の分配に基づいて前記各単位刺繍領域ごとの刺繍データを作成する刺繍データ作成手段とを具備する。
これにより、刺繍模様に対して隣り合う単位刺繍領域が一部重なるように設定し、いずれかの単位刺繍領域に収まる部分模様については、途中で分断せずにその単位刺繍領域に属するものとして分配するように構成したので、刺繍模様を分割して刺繍した場合であっても、境界が目立つことを極力避けることが可能な刺繍データ処理装置に関する技術が記載されている。
【０００７】
【特許文献１】特開平１１−５７２６０号公報（図３参照）
【特許文献２】特開平２０００−２４３５０号公報（図１参照）
【発明の開示】
【発明が解決しようとする課題】
【０００８】
特許文献１記載の刺繍データ処理装置は、大型の刺繍模様であっても、刺繍ミシンの最大縫製サイズを越えない縫製区域に、その刺繍模様を分割することで、大型の刺繍模様を
刺繍することができる。しかしながら、この方法では、大型の刺繍模様を、多数の縫製区域に分割した場合に、ユーザが現在縫製しようとしている縫製区域が、大型の刺繍模様全体におけるどの位置に存在しているのかを把握することが非常に困難であった。ユーザは、縫製しようとしている縫製区域が、どの位置にあたるか把握できない場合には、煩雑な刺繍媒体の刺繍枠への取り付けを何度もやり直さなければならない。
【０００９】
一方、特許文献２記載の刺繍データ処理装置においても、大型の刺繍模様を多数の縫製区域に分割した場合に、ユーザが現在縫製しようとしている縫製区域が、大型の刺繍模様全体におけるどの位置に存在しているのかを把握することが非常に困難となり、特許文献１記載の刺繍データ処理装置と同様の問題点を有している。
【００１０】
本発明は、上述した課題を鑑みてなされたものであり、刺繍ミシンで刺繍模様を縫製するための刺繍データを作成する刺繍データ処理装置であって、刺繍ミシンで縫製可能な縫製範囲を超える大型の刺繍模様を縫製する場合に、前記刺繍模様を複数の領域に分割して刺繍することができ、現在縫製している分割した領域の刺繍模様の前記刺繍模様全体における位置を把握可能な刺繍データ処理装置及び刺繍データ処理プログラムを記憶した記憶媒体を提供する事を目的とする。
【課題を解決するための手段】
【００１１】
前記目的を達成するため請求項１に係る刺繍データ処理装置は、刺繍ミシンで刺繍模様を縫製するための刺繍データを処理する刺繍データ処理装置であって、前記刺繍データを複数の領域に分割する際の分割領域を指定するための情報を取得する領域情報取得手段と、  前記領域情報取得手段により取得した分割領域を指定するための情報に基づいて、前記刺繍データを分割すると共に、その分割された分割刺繍データを作成する分割刺繍データ作成手段と、前記分割刺繍データ作成手段により作成された分割刺繍データの前記刺繍データ全体における位置を示す位置情報を作成する位置情報作成手段と、前記分割刺繍データの位置情報に基づいて、分割刺繍データの全体に対する配置図を表示する表示手段を有することを特徴とする。
【００１２】
また、前記請求項２に係る刺繍データ処理装置は、前記請求項１記載の刺繍データ処理装置において、前記領域情報取得手段は、刺繍枠の種類を指定することにより、分割領域として所定の縫製範囲を示す情報を取得することを特徴とする。
【００１３】
そして、前記請求項３に係る刺繍データ処理装置は、前記請求項１記載の刺繍データ処理装置において、前記分割刺繍データ作成手段は、前記領域情報取得手段により取得された所定の縫製範囲に基づいて、その縫製範囲を内側に縮めた領域で前記刺繍データを分割して、分割刺繍データを作成することを特徴とする。
【００１４】
更に、前記請求項４に係る刺繍データ処理装置は、前記請求項１又は請求項２記載の刺繍データ処理装置において、前記分割刺繍データに前記位置情報を付加する位置情報付加手段を有することを特徴とする。
【００１５】
また、前記請求項５に係る刺繍データ処理装置は、前記請求項４記載の刺繍データ処理装置において、前記位置情報は、画像データであることを特徴とする。
【００１６】
更に、前記請求項６に係る刺繍データ処理装置は、前記請求項１乃至請求項５の何れかに記載の刺繍データ処理装置において、前記位置情報は、刺繍データ全体における縦位置情報及び横位置情報の少なくとも一方からなるコードデータであることを特徴とする。
【００１７】
そして、前記請求項７に係る刺繍データ処理装置は、刺繍ミシンで刺繍模様を縫製するための刺繍データを処理する刺繍データ処理装置であって、前記刺繍データを複数の領域に分割する際の分割領域を指定するための情報を取得する領域情報取得手段と、前記領域情報取得手段により取得した分割領域を指定するための情報に基づいて、前記刺繍データを分割すると共に、その分割された分割刺繍データを作成する分割刺繍データ作成手段と、前記分割刺繍データ作成手段により作成された分割刺繍データに基づいて、刺繍データ全体を刺繍する際に、布を前記分割領域に対応する位置に位置合わせするための指標を有する分割テンプレートを作成する分割テンプレート作成手段と、前記分割テンプレートを印刷する印刷手段を有することを特徴とする。
【００１８】
更に、前記請求項８に係る刺繍データ処理装置は、刺繍ミシンで刺繍模様を縫製するための刺繍データを処理する刺繍データ処理装置であって、前記刺繍データを複数の領域に分割する際の分割領域を指定するための情報を取得する領域情報取得手段と、前記領域情報取得手段により取得した分割領域を指定するための情報に基づいて、前記刺繍データを分割すると共に、その分割された分割刺繍データを作成する分割刺繍データ作成手段と、  前記分割刺繍データに基づいて、その分割刺繍データに対応する分割模様図柄を印刷するための印刷データを作成する印刷データ作成手段と、前記分割刺繍データを実寸大で印刷する印刷手段と、前記印刷データを実寸大で印刷する際に、印刷媒体に前記印刷データ全体が配置できない場合に、前記分割刺繍データの一部分のみについての部分印刷データを作成する部分印刷データ作成手段と、前記印刷データ全体における前記部分印刷データの位置を示す部分印刷位置情報を、前記部分印刷データに付加する部分印刷位置情報付加手段とを有することを特徴とする。
【００１９】
また、前記請求項９に係る刺繍データ処理装置は、刺繍ミシンで刺繍模様を縫製するための刺繍データを処理する刺繍データ処理装置であって、前記刺繍データを複数の領域に分割する際の分割領域を指定するための情報を取得する領域情報取得手段と、前記領域情報取得手段により取得した分割領域を指定するための情報に基づいて、前記刺繍データを分割すると共に、その分割された分割刺繍データを作成する分割刺繍データ作成手段と、  前記分割刺繍データに対応する分割模様図柄を実寸大で印刷する印刷手段と、前記分割模様図柄を前記印刷手段により実寸大で印刷する際に、印刷媒体に前記分割模様図柄全体が配置できない場合に、前記分割模様図柄の一部分に対応する部分模様図柄のみについての部分印刷データを作成する部分印刷データ作成手段と、前記分割模様図柄全体における前記部分模様図柄の位置を示す部分印刷位置情報を、前記部分印刷データに付加する部分印刷位置情報付加手段とを有することを特徴とする。
【００２０】
そして、前記請求項１０に係る刺繍データ処理装置は、前記請求項７乃至請求項９の何れかに記載の刺繍データ処理装置において、前記領域情報取得手段は、刺繍枠の種類を指定することにより分割領域として所定の縫製範囲を示す情報を取得することを特徴とする。
【００２１】
更に、前記請求項１１に係る刺繍データ処理装置は、前記請求項１０記載の刺繍データ処理装置において、前記分割刺繍データ作成手段は、前記領域情報取得手段により取得された所定の縫製範囲に基づいて、その縫製範囲を内側に縮めた領域で前記刺繍データを分割して、分割刺繍データを作成することを特徴とする。
【００２２】
一方、前記請求項１２に係る刺繍データ処理プログラムを記録した記録媒体は、刺繍ミシンで刺繍模様を縫製するための刺繍データを処理する刺繍データ処理プログラムを記録した記録媒体であって、前記刺繍データを複数の領域に分割する際の分割領域を指定するための情報を取得し、その領域情報に基づいて、刺繍データを分割すると共に、その分割された分割刺繍データを作成し、作成された前記分割刺繍データの前記刺繍データ全体における位置を示す位置情報を作成すると共に、その位置情報を前記分割刺繍データに付加することを特徴とする。
【００２３】
また、前記請求項１３に係る刺繍データ処理プログラムを記録した記録媒体は、前記請求項１２記載の刺繍データ処理プログラムを記録した記録媒体において、前記領域情報は、刺繍枠の種類に基づく所定の縫製範囲を示す情報であることを特徴とする。
【００２４】
そして、前記請求項１４に係る刺繍データ処理プログラムを記録した記録媒体は、前記請求項１３記載の刺繍データ処理プログラムを記録した記録媒体において、前記分割領域は、前記縫製範囲を内側に縮めた領域であることを特徴とする。
【００２５】
更に、前記請求項１５に係る刺繍データ処理プログラムを記録した記録媒体は、刺繍ミシンで刺繍模様を縫製するための刺繍データを処理する刺繍データ処理プログラムを記録した記録媒体であって、前記刺繍データを複数の領域に分割する際の分割領域を指定するための情報を取得し、前記刺繍データをその領域情報に基づいて、刺繍データを分割すると共に、その分割された分割刺繍データを作成し、作成された前記分割刺繍データに基づいて、前記刺繍データ全体を刺繍する際に、布を前記分割領域に対応する位置に位置合わせするための指標を有する分割テンプレートを作成することを特徴とする。
【００２６】
また、前記請求項１６に係る刺繍データ処理プログラムを記録した記録媒体は、刺繍ミシンで刺繍模様を縫製するための刺繍データを処理する刺繍データ処理プログラムを記録した記録媒体であって、前記刺繍データを複数の領域に分割する際の分割領域を指定するための情報を取得し、前記刺繍データをその領域情報に基づいて、刺繍データを分割すると共に、その分割された分割刺繍データを作成し、作成された前記分割刺繍データに基づいて、その分割刺繍データに対応する分割模様図柄を印刷するための印刷データを作成し、前記印刷データ全体を印刷媒体に配置できない場合に、前記分割刺繍データの一部分のみについての部分印刷データを作成し、前記印刷データ全体における前記部分印刷データの位置を示す部分印刷位置情報を、前記部分印刷データに付加することを特徴とする。
【００２７】
更に、前記請求項１７に係る刺繍データ処理プログラムを記録した記録媒体は、刺繍ミシンで刺繍模様を縫製するための刺繍データを処理する刺繍データ処理プログラムを記録した記録媒体であって、前記刺繍データを複数の領域に分割する際の分割領域を指定するための情報を取得し、前記刺繍データをその領域情報に基づいて、刺繍データを分割すると共に、その分割された分割刺繍データを作成し、その分割刺繍データに対応する分割模様図柄全体を印刷媒体に配置できない場合に、前記分割模様図柄の一部分に対応する部分模様図柄のみを印刷するための部分印刷データを作成し、前記分割模様図柄全体における前記部分模様図柄の位置を示す部分印刷位置情報を、前記部分印刷データに付加することを特徴とする。
【００２８】
また、前記請求項１８に係る刺繍データ処理プログラムを記録した記録媒体は、前記請求項１５乃至請求項１７の何れかに記載の刺繍データ処理プログラムを記録した記録媒体において、前記領域情報は、刺繍枠の種類に基づく所定の縫製範囲を示す情報であることを特徴とする。
【００２９】
更に、前記請求項１９に係る刺繍データ処理プログラムを記録した記録媒体は、前記請求項１７記載の刺繍データ処理プログラムを記録した記録媒体において、前記分割領域が、前記縫製範囲を内側に縮めた領域であることを特徴とする。
【発明の効果】
【００３０】
前記請求項１記載の刺繍データ処理装置は、前記刺繍データを複数の領域に分割する際の分割領域を指定するための情報に基づいて、前記刺繍データを分割する。そして、その分割された分割刺繍データと、分割刺繍データの前記刺繍データ全体における位置を示す位置情報を作成する。更に、前記分割刺繍データの位置情報に基づいて、分割刺繍データの全体に対する配置図を表示する表示手段を有する。これにより、多数に分割された分割刺繍データの縫製時にも、表示手段の位置情報表示を確認することで現在どの部分の縫製作業を行っているかを容易に確認することができる。
【００３１】
また、前記請求項２記載の刺繍データ処理装置の前記領域情報取得手段は、刺繍枠の種類を指定することにより、分割領域として所定の縫製範囲を示す情報を取得するので、枠種類に応じて、刺繍データが分割される。これにより、複数の分割領域を容易に指定することができるだけでなく、刺繍枠を用いて刺繍データを縫製する際にも、無駄のない縫製を行うことができる。
【００３２】
そして、前記請求項３記載の刺繍データ処理装置の前記分割刺繍データ作成手段は、前記領域情報取得手段により取得された所定の縫製範囲に基づいて、その縫製範囲を内側に縮めた領域で前記刺繍データを分割して、分割刺繍データを作成する。これにより、刺繍布に刺繍枠を取り付ける際に、その作業の困難性から所定位置より若干ずれた場合においても、正規の位置に調整することが可能となる。
【００３３】
更に、前記請求項４記載の刺繍データ処理装置は、前記分割刺繍データに前記位置情報を付加する位置情報付加手段を有するので、分割刺繍データ毎に、前記分割刺繍データに対応した位置情報が付加され、分割刺繍データ毎に刺繍データ全体における位置を確認することができる。
【００３４】
また、前記請求項５記載の刺繍データ処理装置における前記位置情報は、画像データであるので、画像を確認することで分割刺繍データ毎に刺繍データ全体における位置を確認することができる。
【００３５】
そして、前記請求項６記載の刺繍データ処理装置における前記位置情報は、刺繍データ全体における縦位置情報及び横位置情報の少なくとも一方からなるコードデータであるので、刺繍データ全体における縦位置及び横位置を、位置情報に基づいて更に詳細に確認することができる。
【００３６】
また、前記請求項７記載の刺繍データ処理装置は、刺繍データを複数の領域に分割した分割刺繍データを作成すると共に、分割刺繍データに基づいて、刺繍データ全体を刺繍する際に、布を前記分割領域に対応する位置に位置合わせするための指標を有する分割テンプレートを作成、印刷するので、刺繍データ全体を刺繍するときに、容易に布を前記分割領域に対応する位置に位置合わせすることができる。
【００３７】
更に、前記請求項８記載の刺繍データ処理装置は、前記刺繍データを複数の領域に分割する際の分割領域を指定するための情報に基づいて、前記刺繍データを分割する。そして、その分割された分割刺繍データと、その分割刺繍データに対応する分割模様図柄を印刷するための印刷データを作成する。そして、前記印刷データを実寸大で印刷する際に、印刷媒体に前記印刷データ全体が配置できない場合には、前記分割刺繍データの一部分のみについての部分印刷データと、前記印刷データ全体における前記部分印刷データの位置を示す部分印刷位置情報を前記部分印刷データに付加するので、縫製作業を行う上で、実寸大で印刷した印刷媒体を並べることで、出来上がりの刺繍模様全体を想定することが容易になる。更に、位置情報も印刷されるので、並べる作業も容易に行うことができる。
【００３８】
そして、前記請求項９記載の刺繍データ処理装置は、前記刺繍データを複数の領域に分割する際の分割領域を指定するための情報に基づいて、前記刺繍データを分割する。そして、前記分割刺繍データに対応する分割模様図柄を実寸大で印刷する際に、印刷媒体に前記分割模様図柄全体が配置できない場合には、前記分割模様図柄の一部分に対応する部分模様図柄のみについての部分印刷データを作成し、前記分割模様図柄全体における前記部分模様図柄の位置を示す部分印刷位置情報を、前記部分印刷データに付加するので、縫製作業を行う上で、実寸大で印刷した印刷媒体を並べることで、出来上がりの刺繍模様全体を想定することが容易になる。更に、位置情報も印刷されるので、並べる作業も容易に行うことができる。
【００３９】
また、前記請求項１０記載の刺繍データ処理装置における前記領域情報取得手段は、刺繍枠の種類を指定することにより分割領域として所定の縫製範囲を示す情報を取得するので、枠種類に応じて、刺繍データが分割される。これにより、複数の分割領域を容易に指定することができるだけでなく、刺繍枠を用いて刺繍データを縫製する際にも、無駄のない縫製を行うことができる。
【００４０】
更に、前記請求項１１記載の刺繍データ処理装置の前記分割刺繍データ作成手段は、前記領域情報取得手段により取得された所定の縫製範囲に基づいて、その縫製範囲を内側に縮めた領域で前記刺繍データを分割して、分割刺繍データを作成する。これにより、刺繍布に刺繍枠を取り付ける際に、その作業の困難性から所定位置より若干ずれた場合においても、正規の位置に調整することが可能となる。
【００４１】
一方、前記請求項１２記載の刺繍データ処理プログラムを記録した記録媒体は、この記録媒体をコンピュータ等に読み取らせることにより、前記刺繍データを複数の領域に分割する際の分割領域を指定するための情報に基づいて、前記刺繍データを分割させ、その分割された分割刺繍データと、分割刺繍データの前記刺繍データ全体における位置を示す位置情報を作成させると共に、その位置情報を前記分割刺繍データに付加させる。これにより、分割刺繍データ毎に、前記分割刺繍データに対応した位置情報が付加されるので、分割刺繍データ毎に刺繍データ全体における位置を確認することができる。
【００４２】
そして、前記請求項１３記載の刺繍データ処理プログラムを記録した記録媒体は、この記録媒体をコンピュータ等に読み取らせることにより、刺繍枠の種類に応じて、刺繍データが分割される。これにより、複数の分割領域を容易に指定することができるだけでなく、刺繍枠を用いて刺繍データを縫製する際にも、無駄のない縫製を行うことができる。
【００４３】
また、前記請求項１４記載の刺繍データ処理プログラムを記録した記録媒体は、この記録媒体をコンピュータ等に読み取らせることにより、前記分割領域は、前記縫製範囲を内側に縮めた領域として分割させる。これにより、刺繍布に刺繍枠を取り付けた際に、その作業の困難性から所定位置より若干ずれた場合においても、正規の位置に調整することが可能となる。
【００４４】
更に、前記請求項１５記載の刺繍データ処理プログラムを記録した記録媒体は、この記録媒体をコンピュータ等に読み取らせることにより、刺繍データを複数の領域に分割した分割刺繍データを作成させると共に、分割刺繍データに基づいて、刺繍データ全体を刺繍する際に、布を前記分割領域に対応する位置に位置合わせするための指標を有する分割テンプレートを作成させることができる。これにより、刺繍データ全体を刺繍するときに、前記分割テンプレートを印刷することで、容易に布を前記分割領域に対応する位置に位置合わせすることができる。
【００４５】
そして、前記請求項１６記載の刺繍データ処理プログラムを記録した記録媒体は、この記録媒体をコンピュータ等に読み取らせることにより、前記刺繍データを複数の領域に分割する際の分割領域を指定するための情報に基づいて、前記刺繍データを分割させる。さらに、前記分割刺繍データに対応する分割模様図柄を印刷させるための印刷データを作成させる。そして、前記印刷データを実寸大で印刷させる際に、印刷媒体に前記印刷データ全体が配置できない場合には、前記分割刺繍データの一部分のみについての部分印刷データを作成させ、前記印刷データ全体における前記部分印刷データの位置を示す部分印刷位置情報を、前記部分印刷データに付加させるので、ユーザが縫製作業を行う上で、実寸大で印刷した印刷媒体を並べることで、出来上がりの刺繍模様全体を想定することが容易になる。更に、位置情報も印刷されるので、並べる作業も容易に行うことができる。
【００４６】
また、前記請求項１７記載の刺繍データ処理プログラムを記録した記録媒体は、この記録媒体をコンピュータ等に読み取らせることにより、前記刺繍データを複数の領域に分割する際の分割領域を指定するための情報に基づいて、前記刺繍データを分割させ、前記分割刺繍データに対応する分割模様図柄を実寸大で印刷させる際に、印刷媒体に前記分割模様図柄全体が配置できない場合には、前記分割模様図柄の一部分に対応する部分模様図柄のみについての部分印刷データを作成させる。そして、前記分割模様図柄全体における前記部分模様図柄の位置を示す部分印刷位置情報を、前記部分印刷データに付加させるので、縫製作業を行う上で、実寸大で印刷した印刷媒体を並べることで、出来上がりの刺繍模様全体を想定することが容易になる。更に、位置情報も印刷されるので、並べる作業も容易に行うことができる。
【００４７】
更に、前記請求項１８記載の刺繍データ処理プログラムを記録した記録媒体は、この記録媒体をコンピュータ等に読み取らせることにより、刺繍枠の種類に応じて、刺繍データが分割される。これにより、複数の分割領域を容易に指定することができるだけでなく、刺繍枠を用いて刺繍データを縫製する際にも、無駄のない縫製を行うことができる。
【００４８】
そして、前記請求項１９記載の刺繍データ処理プログラムを記録した記録媒体は、この記録媒体をコンピュータ等に読み取らせることにより、前記分割領域は、前記縫製範囲を内側に縮めた領域として分割させる。これにより、刺繍布に刺繍枠を取り付ける際に、その作業の困難性から所定位置より若干ずれた場合においても、正規の位置に調整することが可能となる。
【発明を実施するための最良の形態】
【００４９】
以下、本発明に係る刺繍データ処理装置及び記録媒体を、具体化した一実施形態である刺繍データ処理装置１について、図面を参照しつつ詳細に説明する。
【００５０】
まず、図１は、刺繍データ処理装置１及びこの刺繍データ作成装置１によって作成された刺繍データに基づいて刺繍形成動作を実行する縫製装置たる刺繍ミシン２の構成を示している。この図１において、刺繍データ作成装置１は、制御本体部３を主体として構成されている。前記制御本体部３は、画像や図形、文字等を表示するディスプレイ４を備えている。また、前記制御本体部３には、点の入力やメニューの選択を行うためのキーボード５やマウス６と、画像データや図形データやステッチデータ等を保存したり呼び出したりするフレキシブルディスク装置７やハードディスク装置８、刺繍データ処理装置１にインストールされる後述のステッチデータ分割プログラム等を呼び出すＣＤ−ＲＯＭ装置９、ステッチデータを不揮発性のフラッシュメモリからなる着脱可能なメモリカード１２に書き込むフラッシュメモリ装置１０及び図柄原画を読み込む為のイメージスキャナ装置１１が接続されている。
【００５１】
これに対して、前記刺繍ミシン２のミシン本体１３は、ベッド部１４の上方にアーム部１５を一体的に有して構成されている。前記アーム部１５の先端部には縫い針１６を有する針棒（図示せず）が設けられている。また、前記ベッド部１４の上には、加工布（図示せず）を保持する刺繍枠１７が配置されている。前記刺繍枠１７は、刺繍枠移動機構１８により装置固有のＸＹ座標系に基づく任意の位置に移動されるように構成されている。
更に、前記ミシン本体１３の右側面部には、前記メモリカード１２が差し込まれるカード挿入孔１９が設けられ、ベッド部１４には、小型の液晶ディスプレイ等で構成された表示部１４ａが配設されている。
そして、刺繍ミシン２は、前記メモリカード１２により、外部からステッチデータが与えられるように構成されている。従って、ステッチデータを構成する一針毎の加工布のＸＹ方向の移動量（針落ち位置）を指示するデータに基づいて、前記刺繍枠移動機構１８により加工布を自在に移動させながら前記針棒や釜機構（図示せず）を駆動させることにより、前記加工布に対して所定の刺繍を形成する刺繍形成動作が実行される。
本実施の形態に係る刺繍データ処理装置１は、このような刺繍ミシン２で縫製可能なステッチデータを作成する機能を有するものである。
【００５２】
次に、刺繍データ処理装置１の制御系構成について、図面を参照しつつ詳細に説明する。図２は、本実施形態に係る刺繍データ作成装置１の制御系ブロック図である。
図２に示すように、前記制御本体部１に制御装置２４が内蔵され、この制御装置２４の入出力インターフェース２２には、ディスプレイ４と、キーボード５と、マウス６と、フレキシブルディスク装置７と、フラッシュメモリ装置１０と、ハードディスク装置８と、イメージスキャナ装置１１と、ＣＤ−ＲＯＭ装置９とがそれぞれ接続されている。
【００５３】
制御装置２４は、ＣＰＵ２０と、このＣＰＵ２０にデータバス等のバス２３を介して接続された入出力インターフェース２２と、ＲＯＭ２１と、ＲＡＭ３０とから構成されている。ＲＯＭ２１には、後述するステッチデータ分割処理等の各種制御プログラムが格納されている。
【００５４】
ＲＡＭ３０には、面図形の輪郭線や線図形の形状線で構成される図形データと、図形データに基づいて作成されたステッチデータと、複数個の縫製区域である分割領域と、ステッチデータを分割領域に基づいて分割して作成した分割ステッチデータを記憶する。
また、分割領域については、分割領域数と、ミシンの横方向の最大縫製範囲であるミシン横方向最大縫製サイズと、ミシンの縦方向の最大縫製範囲であるミシン縦方向最大縫製サイズと、隣接する分割領域の間の横方向の重ね幅と、隣接する分割領域の間の縦方向の重ね幅とについての情報が記憶される。
更に、ＲＡＭ３０には、後述するステッチデータの分割処理に用いる各種カウンタ３１の記憶領域が形成されている。
【００５５】
分割ステッチデータの作成処理に先立って、ミシン横方向最大縫製サイズとミシン縦方向最大縫製サイズと横方向分割領域重ね幅と縦方向分割領域重ね幅とが、予めＲＯＭ２１に格納されているものを読み取るか、フレキシブルディスク７ａに格納されているものをフレキシブルディスク装置７により読み取るか、ハードディスクに格納されているものをハードディスク装置８により読み取るか、ＣＤ−ＲＯＭに格納されているものをＣＤ−ＲＯＭ装置９により読み取るかして、ミシン横方向最大縫製サイズ、ミシン縦方向最大縫製サイズ、横方向分割領域重ね幅及び縦方向分割領域重ね幅のデータとして、ＲＡＭ３０内に記憶される。
【００５６】
前記フレキシブルディスク装置７には、画像データ、形状データ及びステッチデータ等が記憶された記録媒体たるフレキシブルディスク７ａが着脱可能にセットされるように構成されている。前記ハードディスク装置８は、画像データ，形状データ及びステッチデータ等の各種データや、後述のステッチデータ分割プログラム等の各種プログラムをハードディスクに保存したりハードディスクから呼び出したりするものである。前記ＣＤ−ＲＯＭ装置９は、ＣＤ−ＲＯＭに記録され、刺繍データ処理装置１にインストールされる後述のステッチデータ分割プログラム等の各種プログラムや、各種データを呼び出すものである。前記フラッシュメモリ装置１０は、不揮発性のフラッシュメモリからなるメモリカード１２を着脱可能に備えており、前記メモリカード１２にステッチデータを書き込むためのものである。前記イメージスキャナ装置１１は、刺繍模様の原画を読み込むためのものである。
【００５７】
次に、刺繍データ作成装置１の制御装置２４にて行われる分割ステッチデータ作成処理即ちステッチデータ分割処理について、図３又は図４を参照しつつ、詳細に説明する。図３は、本実施形態に係る刺繍データ作成装置１により実行されるステッチデータ分割プログラムのフローチャートである。図４は、ステッチデータの分割に関する説明図である。
まず、キーボード５或いはマウス６の操作によりステッチデータ分割処理が開始されると、まず、ＲＡＭ３０に格納されたステッチデータを読み込む（ステップＳ１）。
これは、予め、フレキシブルディスク７ａ、ハードディスク等の記憶媒体に格納されている形状データ（閉領域の輪郭線や直線、曲線等の形状線のデータ）を、フレキシブルディスク装置７、ハードディスク装置８等により読み取ったり、或いは、原画をイメージスキャナ装置１１により読み取らせてできた画像データから形状データを抽出したりすることにより作成された後に、ＲＡＭ３０に格納されたステッチデータ３６を読み込むものである。ステッチデータ３６の読み込み（Ｓ１）終了後、Ｓ２に移行する。
【００５８】
Ｓ２では、分割領域３５の大きさに関するデータを取得する。本実施形態において、分割領域の横方向サイズ及び縦方向サイズ、並びに分割領域の横方向重ね幅及び縦方向重ね幅等で構成される分割領域３５は、予めＲＯＭ２１、フレキシブルディスク７ａ、ＣＤ−ＲＯＭに記憶されているものを読み取るか、ユーザがキーボード５、マウス６を用いて入力したものを、ＲＡＭ３０に格納している。Ｓ２では、このＲＡＭ３０に格納されている分割領域３５の大きさに関する情報を取得する。
【００５９】
分割領域３５の大きさに関する情報を取得（Ｓ２）した後、Ｓ３において、ステッチデータ３６を、Ｓ２で取得した分割領域３５の大きさに基づいて分割した際の、分割領域の数を算出する。ここで、算出結果より、ステッチデータ３６を構成する分割領域３５の数である分割領域数Ｒと、ステッチデータ３６の上下方向における分割領域３５の数である行数Ｍと、ステッチデータ３６の左右方向における分割領域３５の数である列数ＮをＲＡＭ３０に記憶し、Ｓ４に移行する。
具体的に、図４に示す場合では、ステッチデータ３６を分割領域３５にて分割すると、分割領域数Ｒ＝２５、行数Ｍ＝５及び列数Ｎ＝５が算出され、ＲＡＭ３０に記憶される。
【００６０】
Ｓ４では、分割領域カウンタＫ、行数カウンタｍ及び列数カウンタｎの各種カウンタ３１の初期化がなされる。各種カウンタ３１の初期化により、分割領域カウンタＫ、行数カウンタｍ及び列数カウンタｎは、初期値であるＫ＝１，ｍ＝１、ｎ＝１に設定される。各種カウンタ３１の初期化（Ｓ４）終了後、Ｓ５に移行する。
【００６１】
Ｓ５においては、分割領域カウンタＫの値に基づいて、Ｋ番目の分割領域についての分割ステッチデータ４０の作成がなされる。ステッチデータ３６を分割領域３５の大きさで分割したものが分割ステッチデータ４０となる。ステッチデータ３６の分割領域３５による分割は、ステッチデータ３６を構成する各縫目の内、分割領域３５の境界線を跨ぐ縫目の全てについて、その境界線を分割線として、２つの縫目に分割した後、分割領域３５に含まれる縫目だけを縫い順を整えながら抽出することで行う。分割ステッチデータ４０の作成（Ｓ５）後、作成した分割ステッチデータ４０に対応する位置情報を分割ステッチデータ４０に付加する。
ここで、位置情報について、図４を参照して説明する。上述のように、図４におけるステッチデータ３６は、行数５、列数５の２５の分割領域に分割される。そして、各分割領域３５は、行数カウンタ、列数カウンタにより、夫々１〜５の番号が付加されており、例えば、図４において示される分割ステッチデータ４０は、列番号＝３、行番号＝２であらわされる。
また、本実施形態においては、分割ステッチデータ４０の位置情報は、上下方向の位置と、左右方向の位置の判別がしやすいように、行番号をアルファベット大文字に、列番号をアルファベット小文字と関連付け、アルファベット２文字の組み合わせにより表現される情報としている。これによると、分割ステッチデータ４０の位置は、上から２つ目、左から３つ目の位置であるので、「Ｂｃ」が位置情報となる。この位置情報を、Ｓ５で作成された分割ステッチデータ４０に付加する。分割ステッチデータ４０に、それに対応する位置情報を付加した後（Ｓ６）、Ｓ７に移行する。
【００６２】
ここで、位置情報を付加した分割ステッチデータ４０を、メモリカード１２に記憶させ、刺繍ミシン２のベッド部１４に配設された表示部１４ａに表示させると、図６に示す内容が表示される。これにより、ユーザは、現在縫製作業を実行しようとしている分割ステッチデータ４０がステッチデータ３６全体において、どの部分に当たるのかが容易に判断できる。
【００６３】
Ｓ７では、列数カウンタの値ｎが列数Ｎに等しいか否かについての判断がなされる。即ち、現在の行において、水平方向に並んでいる分割領域３５全てについて、分割ステッチデータ４０を作成したか否かについての判断がなされている。列数カウンタの値ｎが列数Ｎと等しい場合（Ｓ７：ＹＥＳ）には、Ｓ１０に移行する。一方、列数カウンタの値ｎが列数Ｎと異なる場合（Ｓ７：ＮＯ）には、Ｓ８に移行する。図４に示す例によれば、列数カウンタの値ｎが１〜４の場合には、Ｓ８に移行し、列数カウンタの値ｎが５になった場合には、Ｓ１０に移行する。
【００６４】
列数カウンタの値ｎが列数Ｎと異なる場合（Ｓ７：ＮＯ）には、列数カウンタの値ｎに１を加算し（Ｓ８）、分割領域カウンタの値Ｋにも１を加算する。そして、Ｓ９終了後、Ｓ５に戻る。
これにより、Ｓ５にて、分割ステッチデータ４０を作成する対象となる分割領域３５が水平方向に１つ移動するのである。図４に示す例によれば、上から２つ目、左から３つ目（位置情報：Ｂｃ）の分割領域３５に対応する分割ステッチデータ４０をＳ５で作成し、Ｓ８、Ｓ９の処理を行った場合、Ｓ９終了後に戻るＳ５で、分割ステッチデータ４０を作成する対象となる分割領域３５は、上から２つ目、左から４つ目（位置情報：Ｂｄ）の分割領域に移行する。
一方、列数カウンタの値ｎが列数Ｎと等しい場合（Ｓ７：ＹＥＳ）には、現在の行において、水平方向に並んでいる分割領域３５全てについて、分割ステッチデータ４０を作成したので、Ｓ１０で列数カウンタの値ｎを１に戻し（Ｓ１０）、Ｓ１１に移行する。
【００６５】
Ｓ１１では、行数カウンタの値ｍが、行数Ｍに等しいか否かについての判断がなされる。Ｓ１１において、行数カウンタの値ｍが行数Ｍに等しくなる場合（Ｓ１１：ＹＥＳ）とは、ステッチデータ３６を構成する分割領域３５全てに対して、分割ステッチデータ４０を作成した場合である。
行数カウンタの値ｍと行数Ｍが異なる場合（Ｓ１１：ＮＯ）には、Ｓ１２に移行し、行数カウンタの値ｍに１を加算し、Ｓ９に移行する。図４に示す例によれば、上から２つ目、左から５つ目（位置情報：Ｂｅ）の分割領域３５に対応する分割ステッチデータ４０をＳ５で作成し、Ｓ７〜Ｓ１２の処理を行った場合、Ｓ９終了後に戻るＳ５で、分割ステッチデータ４０を作成する対象となる分割領域３５は、上から３つ目、左から１つ目（位置情報：Ｃａ）の分割領域に移行する。
一方、上述したように、Ｓ１１で、行数カウンタの値ｍが行数Ｍに等しいと判断された場合（Ｓ１１：ＹＥＳ）は、ステッチデータ３６を構成する分割領域３５全てに対して、分割ステッチデータ４０を作成した場合であるので、ステッチデータ分割処理（Ｓ１１）を終了する。
【００６６】
以上、説明したステッチデータ分割プログラムにより作成した分割刺繍データ４０を刺繍データ処理装置に接続されたディスプレイ４に表示させると、図５（ａ）〜（ｃ）に示す表示がなされる。図５（ａ）は、ステッチデータ３６の分割状況の表示であり、図５（ｂ）は、選択した分割ステッチデータ４０の拡大図、そして、図５（ｃ）は、選択した分割ステッチデータ４０の位置情報図である。これらをディスプレイ４に表示させることにより、分割ステッチデータ４０のステッチデータ３６全体における位置等の詳細な情報が理解でき、縫製作業を平易に行うことができる。
【００６７】
ところで、加工布の所定の位置に刺繍枠１７を取り付ける刺繍枠取付作業は、熟練したユーザでなければ、所望の位置に刺繍枠を取り付けることが困難である。そこで、本実施形態に係る刺繍データ作成装置１では、分割領域３５の大きさを、刺繍枠１７の種類に基づく最大縫製可能範囲１７ａの大きさよりも、所定量だけ小さい大きさとして、分割刺繍データ４０を作成する。
図７に示すように、最大縫製可能範囲１７ａより小さい分割刺繍データ４０を作成することで、刺繍枠１７と分割刺繍データ４０の間に余白部分を形成することができる。これにより、刺繍枠１７に加工布を取り付け、刺繍模様を縫製する場合に、加工布の所定の位置に刺繍枠１７を取り付けられなかった場合でも、最大縫製可能範囲１７ａの範囲内で、分割ステッチデータ４０の縫製位置を調整することができる。
【００６８】
更に、位置情報と共に、分割領域の大きさが記憶されているので、作成された分割ステッチデータ４０に対応する実寸大の分割テンプレート４５を作成し、不図示の印刷手段により印刷することができる。この分割テンプレート４５には、複数の分割領域３５の夫々の中心位置に対応する位置指標４６が印刷されている。
これにより、実寸大の分割テンプレート４５を加工布に配置し、チャコペン等で位置指標４６部分にマークをつけ、水平又は垂直方向において、隣り合うマークを結ぶ線を描くことで、刺繍枠１７を取り付ける際の指標ができ、未熟なユーザであっても、加工布の所定の位置への刺繍枠１７の取り付けが容易となる。
【００６９】
そして、分割刺繍データ４０の作成が必要な大型の刺繍模様の縫製においては、一般的に、縫製作業前に実寸大の分割刺繍模様を印刷した複数枚の紙を加工布に配置して、出来上がりの完成状態を確認することが多く行われている。
分割ステッチデータ４０を実寸大で用紙に印刷し、出来上がりの確認をしようとした際に、分割ステッチデータ４０が実寸大で用紙に印刷できない場合には、用紙の大きさに基づいた分割領域３５を新たに設定した上で、前述のステッチデータ分割プログラムを分割ステッチデータ４０に適用することで、分割ステッチデータ４０を更に分割した再分割ステッチデータ５０を作成することができ（図９、図１０参照）、再分割ステッチデータ５０を実寸大で用紙に印刷することが可能となる。このとき、ステッチデータ分割プログラムにより、分割ステッチデータ４０における再分割ステッチデータ５０の位置情報も印刷されるので（図１０参照）、実寸大で印刷された用紙の加工布への配置を容易に行うことができる。
【００７０】
本実施形態に係る刺繍データ処理装置１においては、ステッチデータ分割プログラムにより作成した分割刺繍データ４０を刺繍データ処理装置に接続されたディスプレイ４に表示させることにより、分割ステッチデータ４０のステッチデータ３６全体における位置等の詳細な情報が理解でき、縫製作業を平易に行うことができる。
【００７１】
そして、刺繍枠１７の種類に基づく最大縫製可能範囲１７ａよりも小さい大きさの分割領域３５に基づいた分割ステッチデータ４０を作成するので、熟練を要する加工布における所定の位置への刺繍枠取付作業の精度を緩和することができ、熟練度の低いユーザが、加工布を所定の位置に刺繍枠１７を取り付けられなかった場合でも、最大縫製可能範囲１７ａの範囲内で、分割ステッチデータ４０の縫製位置を調整することができる。
【００７２】
更に、作成された分割ステッチデータ４０に対応すると共に、位置指標４６を有する実寸大の分割テンプレート４５を作成し、不図示の印刷手段により印刷することができるので、実寸大の分割テンプレート４５を加工布に配置し、チャコペン等で位置指標４６部分にマークをつけ、水平又は垂直方向において、隣り合うマークを結ぶ線を描くことで、刺繍枠１７を取り付ける際の指標ができ、未熟なユーザであっても、加工布の所定の位置への刺繍枠１７の取付が容易となる。
【００７３】
そして、分割ステッチデータ４０を実寸大で用紙に印刷し、出来上がりの確認をしようとした際に、分割ステッチデータ４０が実寸大で用紙に印刷できない場合には、前述のステッチデータ分割プログラムを分割ステッチデータ４０に適用することで、用紙の大きさに基づいた分割領域３５を新たに設定した上で、分割ステッチデータ４０を更に分割した再分割ステッチデータ５０を作成することができ、再分割ステッチデータ５０を実寸大で用紙に印刷することが可能となる。
このとき、ステッチデータ分割プログラムにより、分割ステッチデータ４０における再分割ステッチデータ５０の位置情報も印刷されるので、実寸大で印刷された用紙の加工布への配置を容易に行うことができ、刺繍模様全体の出来上がりを容易に確認することができる。
【００７４】
更に、このステッチデータ分割プログラムは、フレキシブルディスク７ａや、ＣＤ−ＲＯＭ等の記憶媒体に記憶させ、これをコンピュータ等に読み込ませることができる。これにより、ステッチデータ分割プログラムが搭載されていない刺繍データ処理装置においても、本実施形態に係る刺繍データ処理装置１と同様の効果を得ることができる。
【００７５】
尚、本発明は前記実施形態の記載に限定されるものではなく、本発明の要旨を逸脱しない範囲内で種々の改良、変形が可能であることは勿論である。
【００７６】
例えば、本実施形態においては、分割領域３５の大きさに関するデータは、予めＲＯＭ２１、フレキシブルディスク７ａ、ＣＤ−ＲＯＭに記憶されているものを読み取るか、ユーザがキーボード５、マウス６を用いて入力したものとしたが、本ステッチデータ分割プログラムを刺繍ミシン２において実行する場合においては、刺繍枠１７の大きさを、刺繍ミシン２で自動認識し、分割領域３５の大きさとしてもよいし、刺繍ミシン２において、分割領域の大きさを複数の設定値から所望の設定を選択するように構成してもよい。
【００７７】
更に、本実施形態においては、ステッチデータを分割することにより、分割ステッチデータを作成していたが、ステッチデータの基礎となる画像データ又は図形データを分割し、それを基礎として、分割ステッチデータを作成しても良い。
また、本実施形態において、分割ステッチデータに対応する位置情報は、ステッチデータ全体における上下方向及び水平方向の位置情報のみとしたが、最新に縫製作業を行った分割刺繍データからの相対位置情報を追加した態様としても何等の支障をきたすものではない。
そして、本実施形態においては、分割ステッチデータ４０を実寸大で用紙に印刷できない場合には、再分割ステッチデータ５０を作成していたが、分割ステッチデータ４０に対応する印刷データを分割した分割印刷データを作成する態様としても良い。
【図面の簡単な説明】
【００７８】
【図１】本実施形態に係る刺繍データ処理装置の概略構成図である。
【図２】本実施形態に係る刺繍データ処理装置の制御系ブロック図である。
【図３】本実施形態に係るステッチデータ分割プログラムのフローチャートである。
【図４】本実施形態に係るステッチデータの分割処理の説明図である。
【図５】本実施形態に係る分割ステッチデータの刺繍データ処理装置のディスプレイにおける表示例である。
【図６】本実施形態に係る分割ステッチデータの刺繍ミシンの表示部における表示例である。
【図７】本実施形態に係る分割ステッチデータの刺繍枠内での配置図である。
【図８】本実施形態に係る分割ステッチデータに対応する分割テンプレートの説明図である。
【図９】本実施形態に係る分割刺繍データの再分割に関する説明図（１）である。
【図１０】本実施形態に係る分割刺繍データの再分割に関する説明図（２）である。
【符号の説明】
【００７９】
１                  刺繍データ処理装置
２                  刺繍ミシン
３                  制御本体部
４                  ディスプレイ
１３                ミシン本体
１７                刺繍枠
１８                刺繍枠移動機構
２０                ＣＰＵ
２１                ＲＯＭ
３０                ＲＡＭ
３５                分割領域
３６                ステッチデータ
４０                分割ステッチデータ
４５                分割テンプレート
５０                再分割ステッチデータ
【図１】
2005279068.tif 000003
【図２】
2005279068.tif 000004
【図３】
2005279068.tif 000005
【図４】
2005279068.tif 000006
【図５】
2005279068.tif 000007
【図６】
2005279068.tif 000008
【図７】
2005279068.tif 000009
【図８】
2005279068.tif 000010
【図９】
2005279068.tif 000011
【図１０】
2005279068.tif 000012